(57)【要約】【課題】呼制御サービスを停止することなくフレーム同期を行う。【解決手段】基地局１２−１は、自局がＣＣＨ（同期信号）を送信するタイムスロット（ＣＣＨ送信スロット）を識別するＣＣＨスロット番号を含むＣＣＨ情報をセンタ設備１６に通知するＣＣＨ情報通知部２６と、センタ設備１６から配信されるＣＣＨリストに基づいて、そのＣＣＨリストに含まれるＣＣＨスロット番号により識別されるＣＣＨ送信スロットのいずれかを主局（フレーム同期相手）のＣＣＨ送信スロットとして選択する主局スロット選択部３０と、主局スロット選択部３０により選択されるＣＣＨ送信スロットで受信されるＣＣＨに基づいてフレーム同期を行うフレーム同期部３２と、を含む。センタ設備１６は、基地局１２−１の周辺基地局それぞれから通知されるＣＣＨ情報を含むＣＣＨリストを基地局１２−１に配信するＣＣＨリスト配信部４４を含む。【選択図】図４
2010109513.tif 000002
【特許請求の範囲】
【請求項１】
所定周期のフレームに含まれる複数のタイムスロットのうちいずれかの空きタイムスロットで該空きタイムスロットの開始位置を示す同期信号を無線送信する少なくとも１つの周辺基地局装置と、前記周辺基地局装置のいずれかから送信される同期信号に基づいてフレーム同期を行う基地局装置と、センタ装置と、を含む移動通信システムであって、
前記各周辺基地局装置は、
自局が前記同期信号を送信するタイムスロットを識別するスロット識別情報を含む同期信号情報を前記センタ装置に通知する通知手段を含み、
前記センタ装置は、
前記各周辺基地局装置から通知される前記同期信号情報を含む同期信号情報リストを前記基地局装置に配信するリスト配信手段を含み、
前記基地局装置は、
前記センタ装置から配信される前記同期信号情報リストに基づいて、該同期信号情報リストに含まれる前記スロット識別情報により識別されるタイムスロットのいずれかを選択するスロット選択手段と、
前記スロット選択手段により選択されるタイムスロットで受信される同期信号に基づいてフレーム同期を行うフレーム同期手段と、
を含むことを特徴とする移動通信システム。
【請求項２】
請求項１に記載の移動通信システムにおいて、
前記通知手段により通知される前記同期信号情報は、前記自局が前記同期信号を送信するタイミングの精度を示す精度情報をさらに含む、
ことを特徴とする移動通信システム。
【請求項３】
請求項２に記載の移動通信システムにおいて、
前記スロット選択手段は、前記同期信号情報リストに含まれる前記スロット識別情報のうち前記同期信号を送信するタイミングの精度が所定の精度を満たす前記精度情報に対応するスロット識別情報を特定し、該特定されたスロット識別情報により識別されるタイムスロットのいずれかを選択する、
ことを特徴とする移動通信システム。
【請求項４】
請求項３に記載の移動通信システムにおいて、
前記スロット選択手段は、前記特定されたスロット識別情報により識別されるタイムスロットそれぞれで受信される同期信号の受信レベルに基づいて、該タイムスロットのいずれかを選択する、
ことを特徴とする移動通信システム。
【請求項５】
請求項１から４のいずれかに記載の移動通信システムにおいて、
前記各周辺基地局装置は、前記複数のタイムスロットそれぞれで受信される無線信号の受信レベルに基づいて、自局が前記同期信号を送信するタイムスロットを決定する、
ことを特徴とする移動通信システム。
【請求項６】
請求項１から５のいずれかに記載の移動通信システムにおいて、
前記同期信号情報は、前記精度情報を含む基地局識別情報を含む、
ことを特徴とする移動通信システム。
【請求項７】
所定周期のフレームに含まれる複数のタイムスロットのうちいずれかの空きタイムスロットで該空きタイムスロットの開始位置を示す同期信号を無線送信する少なくとも１つの周辺基地局装置のいずれかから送信される同期信号に基づいてフレーム同期を行う基地局装置であって、
自局が前記同期信号を送信するタイムスロットを識別するスロット識別情報を含む同期信号情報を前記各周辺基地局装置から取得するセンタ装置から、該同期信号情報を含む同期信号情報リストを取得する手段と、
前記同期信号情報リストに基づいて、該同期信号情報リストに含まれる前記スロット識別情報により識別されるタイムスロットのいずれかを選択するスロット選択手段と、
前記スロット選択手段により選択されるタイムスロットで受信される同期信号に基づいてフレーム同期を行うフレーム同期手段と、
を含むことを特徴とする基地局装置。
【請求項８】
所定周期のフレームに含まれる複数のタイムスロットのうちいずれかの空きタイムスロットで該空きタイムスロットの開始位置を示す同期信号を無線送信する基地局装置であって、
前記同期信号を送信するタイムスロットを識別するスロット識別情報を含む同期信号情報をセンタ装置に通知する通知手段を含み、
前記センタ装置は、少なくとも前記基地局装置から通知される前記同期信号情報を含む同期信号情報リストを他の基地局装置に配信する、
ことを特徴とする基地局装置。
【請求項９】
所定周期のフレームに含まれる複数のタイムスロットのうちいずれかの空きタイムスロットで該空きタイムスロットの開始位置を示す同期信号を無線送信する少なくとも１つの周辺基地局装置と、前記周辺基地局装置のいずれかから送信される同期信号に基づいてフレーム同期を行う基地局装置と、のそれぞれと通信するセンタ装置であって、
自局が前記同期信号を送信するタイムスロットを識別するスロット識別情報を含む同期信号情報を前記各周辺基地局装置から取得する手段と、
前記各周辺基地局装置から取得される前記同期信号情報を含む同期信号情報リストを前記基地局装置に配信するリスト配信手段と、
を含むことを特徴とするセンタ装置。
【請求項１０】
所定周期のフレームに含まれる複数のタイムスロットのうちいずれかの空きタイムスロットで該空きタイムスロットの開始位置を示す同期信号を無線送信する少なくとも１つの周辺基地局装置のいずれかから送信される同期信号に基づいてフレーム同期を行う基地局装置のフレーム同期方法であって、
自局が前記同期信号を送信するタイムスロットを識別するスロット識別情報を含む同期信号情報を前記各周辺基地局装置から取得するセンタ装置から、該同期信号情報を含む同期信号情報リストを取得するステップと、
前記同期信号情報リストに基づいて、該同期信号情報リストに含まれる前記スロット識別情報により識別されるタイムスロットのいずれかを選択するステップと、
前記選択されるタイムスロットで受信される同期信号に基づいてフレーム同期を行うステップと、
を含むことを特徴とするフレーム同期方法。
【発明の詳細な説明】
【技術分野】
【０００１】
本発明は、移動通信システム、基地局装置、センタ装置、およびフレーム同期方法に関し、特に、所定周期のフレームに含まれる複数のタイムスロットのうちいずれかの空きタイムスロットで無線送信される同期信号に基づいてフレーム同期を行う技術に関する。
【背景技術】
【０００２】
ＴＤＭＡ（Time Division Multiple Access：時分割多元接続）方式は、１つのフレームを所定数のタイムスロットに分割し、時間軸方向にユーザを多重する多元接続方式である。ＴＤＭＡ方式を採用する移動通信システムでは、基地局間でタイムスロットの境界（開始位置、終了位置）を一致させるフレーム同期が行われる。基地局ごとに異なる時間基準を補正し、タイムスロットの境界ずれによって生じる基地局間または基地局と移動局との間の信号干渉を防ぐためである。
【０００３】
かかる移動通信システムでは、各基地局が、所定周期のフレームに含まれる複数のタイムスロットのうちいずれかの空きタイムスロットでその空きタイムスロットの開始位置を示す同期信号を無線送信している。そして、フレーム同期を行う基地局（従局）は、周辺基地局のいずれか（主局、同期相手）から送信される同期信号を受信し、受信された同期信号と既知信号との相関に基づいて、その周辺基地局との間でタイムスロットの境界を一致させる。
【０００４】
なお、特許文献１には、受信信号の電界強度レベルを測定してしきい値と比較することにより、他基地局からの干渉バースト信号の接近を検出するＴＤＭＡ方式のデジタル携帯電話装置が開示されている。また、特許文献２には、受信信号につき所定の情報を収集すると共に、同一のタイムスロットにつき時系列に収集した所定の情報を比較することにより無線区間同期有無の判定を行う無線基地局装置が開示されている。
【特許文献１】特開平６−３３８８５４号公報
【特許文献２】特開平１０−３０４４３７号公報
【発明の開示】
【発明が解決しようとする課題】
【０００５】
フレーム同期を行う従局は、主局から同期信号が送信されるタイムスロットを特定するために、所定周期に含まれる複数のタイムスロットのすべてをサーチする「オープンサーチ」を行う。
【０００６】
しかしながら、オープンサーチではすべての送信スロット（送信用のタイムスロット）が使用されるため、従局は、移動局との通信が終了した後に、新規接続を受け付けないよう呼制御サービスを一時的に停止しなければならない。このため、従局がオープンサーチを行う間、移動局は従局と全く通信を行うことができず、ユーザの利便性が損なわれてしまう。
【０００７】
本発明は、上記課題に鑑みてなされたものであり、呼制御サービスを停止することなくフレーム同期を行うことができる移動通信システム、基地局装置、センタ装置、およびフレーム同期方法を提供することを目的とする。
【課題を解決するための手段】
【０００８】
上記課題を解決するために、本発明に係る移動通信システムは、所定周期のフレームに含まれる複数のタイムスロットのうちいずれかの空きタイムスロットで該空きタイムスロットの開始位置を示す同期信号を無線送信する少なくとも１つの周辺基地局装置と、前記周辺基地局装置のいずれかから送信される同期信号に基づいてフレーム同期を行う基地局装置と、センタ装置と、を含む移動通信システムであって、前記各周辺基地局装置は、自局が前記同期信号を送信するタイムスロットを識別するスロット識別情報を含む同期信号情報を前記センタ装置に通知する通知手段を含み、前記センタ装置は、前記各周辺基地局装置から通知される前記同期信号情報を含む同期信号情報リストを前記基地局装置に配信するリスト配信手段を含み、前記基地局装置は、前記センタ装置から配信される前記同期信号情報リストに基づいて、該同期信号情報リストに含まれる前記スロット識別情報により識別されるタイムスロットのいずれかを選択するスロット選択手段と、前記スロット選択手段により選択されるタイムスロットで受信される同期信号に基づいてフレーム同期を行うフレーム同期手段と、を含むことを特徴とする。
【０００９】
本発明によれば、基地局装置は、所定周期に含まれる複数のタイムスロットのすべてをサーチすることなく、センタ装置から配信される同期信号情報リストに基づいて、各周辺基地局装置が同期信号を送信するタイムスロットを特定することができる。このため、基地局装置は、呼制御サービスを停止することなくフレーム同期を行うことができる。
【００１０】
また、本発明の一態様では、前記通知手段により通知される前記同期信号情報は、前記自局が前記同期信号を送信するタイミングの精度を示す精度情報をさらに含む。
【００１１】
この態様によれば、基地局装置は、センタ装置から配信される同期信号情報リストに基づいて、各周辺基地局装置が同期信号を送信するタイムスロットと各周辺基地局が同期信号を送信するタイミングの精度とを特定することができる。このため、基地局装置は、各周辺基地局装置が同期信号を送信するタイミングの精度に基づいて、同期信号を受信するためのタイムスロットを選択することができる。
【００１２】
また、本発明の一態様では、前記スロット選択手段は、前記同期信号情報リストに含まれる前記スロット識別情報のうち前記同期信号を送信するタイミングの精度が所定の精度を満たす前記精度情報に対応するスロット識別情報を特定し、該特定されたスロット識別情報により識別されるタイムスロットのいずれかを選択する。
【００１３】
この態様によれば、基地局装置は、同期信号を送信するタイミングの精度が所定の精度を満たす周辺基地局装置から送信される同期信号に基づいてフレーム同期を行うことができる。
【００１４】
また、本発明の一態様では、前記スロット選択手段は、前記特定されたスロット識別情報により識別されるタイムスロットそれぞれで受信される同期信号の受信レベルに基づいて、該タイムスロットのいずれかを選択する。
【００１５】
この態様によれば、基地局装置は、同期信号を送信するタイミングの精度が所定の精度を満たす周辺基地局装置から送信される同期信号のうち、たとえば受信レベルが最も高い同期信号に基づいてフレーム同期を行うことができる。
【００１６】
また、上記各態様において、前記各周辺基地局装置は、前記複数のタイムスロットそれぞれで受信される無線信号の受信レベルに基づいて、自局が前記同期信号を送信するタイムスロットを決定してもよい。
【００１７】
また、上記各態様において、前記同期信号情報は、前記精度情報を含む基地局識別情報を含んでもよい。
【００１８】
また、本発明に係る基地局装置は、所定周期のフレームに含まれる複数のタイムスロットのうちいずれかの空きタイムスロットで該空きタイムスロットの開始位置を示す同期信号を無線送信する少なくとも１つの周辺基地局装置のいずれかから送信される同期信号に基づいてフレーム同期を行う基地局装置であって、自局が前記同期信号を送信するタイムスロットを識別するスロット識別情報を含む同期信号情報を前記各周辺基地局装置から取得するセンタ装置から、該同期信号情報を含む同期信号情報リストを取得する手段と、前記同期信号情報リストに基づいて、該同期信号情報リストに含まれる前記スロット識別情報により識別されるタイムスロットのいずれかを選択するスロット選択手段と、前記スロット選択手段により選択されるタイムスロットで受信される同期信号に基づいてフレーム同期を行うフレーム同期手段と、を含むことを特徴とする。
【００１９】
また、本発明に係る基地局装置は、所定周期のフレームに含まれる複数のタイムスロットのうちいずれかの空きタイムスロットで該空きタイムスロットの開始位置を示す同期信号を無線送信する基地局装置であって、前記同期信号を送信するタイムスロットを識別するスロット識別情報を含む同期信号情報をセンタ装置に通知する通知手段を含み、前記センタ装置は、少なくとも前記基地局装置から通知される前記同期信号情報を含む同期信号情報リストを他の基地局装置に配信することを特徴とする。
【００２０】
また、本発明に係るセンタ装置は、所定周期のフレームに含まれる複数のタイムスロットのうちいずれかの空きタイムスロットで該空きタイムスロットの開始位置を示す同期信号を無線送信する少なくとも１つの周辺基地局装置と、前記周辺基地局装置のいずれかから送信される同期信号に基づいてフレーム同期を行う基地局装置と、のそれぞれと通信するセンタ装置であって、自局が前記同期信号を送信するタイムスロットを識別するスロット識別情報を含む同期信号情報を前記各周辺基地局装置から取得する手段と、前記各周辺基地局装置から取得される前記同期信号情報を含む同期信号情報リストを前記基地局装置に配信するリスト配信手段と、を含むことを特徴とする。
【００２１】
また、本発明に係るフレーム同期方法は、所定周期のフレームに含まれる複数のタイムスロットのうちいずれかの空きタイムスロットで該空きタイムスロットの開始位置を示す同期信号を無線送信する少なくとも１つの周辺基地局装置のいずれかから送信される同期信号に基づいてフレーム同期を行う基地局装置のフレーム同期方法であって、自局が前記同期信号を送信するタイムスロットを識別するスロット識別情報を含む同期信号情報を前記各周辺基地局装置から取得するセンタ装置から、該同期信号情報を含む同期信号情報リストを取得するステップと、前記同期信号情報リストに基づいて、該同期信号情報リストに含まれる前記スロット識別情報により識別されるタイムスロットのいずれかを選択するステップと、前記選択されるタイムスロットで受信される同期信号に基づいてフレーム同期を行うステップと、を含むことを特徴とする。
【発明を実施するための最良の形態】
【００２２】
以下、本発明の一実施形態を図面に基づいて詳細に説明する。
【００２３】
図１は、本発明の一実施形態に係る移動通信システム１０の構成図である。同図に示すように、移動通信システム１０は、複数の基地局１２（ここでは同一の一斉呼出エリアに属する基地局１２−１〜１２−６のみを示す）と、それら複数の基地局１２のそれぞれとＩＰ網１４を介して通信するセンタ設備１６と、を含んで構成される。このうち、基地局１２−２は、ＧＰＳ衛星１８から送信される時刻同期用のＰＰＳ（Pulse Per Second）信号に基づいて、自局の時間基準を高精度に補正するＧＰＳ局である。
【００２４】
各基地局１２は、ＴＤＭＡ／ＴＤＤ（Time Division Multiple Access/Time Division Duplex）方式により複数の移動局（図示せず）と多重通信を行う。ここでは、図２に示すように、１つのＴＤＭＡフレーム（５ｍｓ）が８つのタイムスロット（４つの送信スロットと４つの受信スロット）に均等に分割されているものする。
【００２５】
移動通信システム１０では、タイムスロットの境界ずれによって生じる基地局１２間または基地局１２と移動局との間の信号干渉を防ぐため、基地局１２間でタイムスロットの境界を一致させるフレーム同期が行われる。このフレーム同期は、周辺の基地局１２から互いに異なるタイミングで周期的に無線送信されるＣＣＨ（Control Channel：制御チャネル）のいずれかに基づいて行われる。
【００２６】
各基地局１２は、たとえば起動時に行うキャリアセンスによって、２０フレーム（１００ｍｓ）周期のスーパーフレームに含まれる８０の送信スロットの中から空き送信スロットを検出し、検出された空き送信スロットのいずれか（たとえば最も妨害波レベルの低い空き送信スロット）を自局のＣＣＨ送信スロットとして決定する（図３参照）。そして、各基地局１２は、自局のＣＣＨ送信スロットでそのＣＣＨ送信スロットの開始位置を示す既知信号（たとえばユニークワード）を含むＣＣＨをフレーム同期用の同期信号として２０フレームごとに無線送信する。なお、スーパーフレームの先頭スロット（スロット番号＃１）は、ＧＰＳ局によって決定される。
【００２７】
本実施形態では、各基地局１２が、自局のＣＣＨ送信スロットを決定した後に、自局のＣＣＨ送信スロットを識別するＣＣＨスロット番号をＩＰ網１４を介してセンタ設備１６に通知する。センタ設備１６は、各基地局１２から通知されるＣＣＨスロット番号をたとえば一斉呼出エリアごとに区分し、一斉呼出エリアごとに区分されたＣＣＨスロット番号を含むＣＣＨリスト（同期信号情報リスト）を当該一斉呼出エリアに属する基地局１２のそれぞれに配信する。
【００２８】
これにより、たとえば基地局１２−１（非ＧＰＳ局）は、スーパーフレームに含まれる８０の送信スロットのすべてをサーチすることなく、センタ設備１６から配信されるＣＣＨリストに基づいて、その周辺の基地局１２−２〜１２−６それぞれのＣＣＨ送信スロットを特定することができる。このため、基地局１２−１は、呼制御サービスを停止することなくフレーム同期を行うことができる。
【００２９】
以下では、上記処理を実現するために基地局１２−１（非ＧＰＳ局）およびセンタ設備１６が備える構成について説明する。図４は、基地局１２−１およびセンタ設備１６の機能ブロック図である。
【００３０】
図４に示すように、基地局１２−１は、アンテナ２０、無線部２２、制御部２４（ＣＣＨ情報通知部２６、ＣＣＨリスト取得部２８、主局スロット選択部３０、フレーム同期部３２）、および回線制御部３４を含んで構成される。
【００３１】
アンテナ２０は、無線信号を受信し、受信された無線信号を無線部２２に出力する。また、アンテナ２０は、無線部２２から供給される無線信号を移動局に対して送信する。
【００３２】
無線部２２は、低雑音増幅器、電力増幅器、周波数変換器、帯域通過フィルタ、Ａ／Ｄ変換器、Ｄ／Ａ変換器、復調回路、および変調回路を含んで構成される。無線部２２は、アンテナ２０から入力される無線信号に、増幅、ダウンコンバート、Ａ／Ｄ変換、ディジタル復調などを施し、得られた受信データを制御部２４に出力する。また、無線部２２は、制御部２４から入力される送信データに、ディジタル変調、Ｄ／Ａ変換、アップコンバート、増幅などを施し、得られた無線信号をアンテナ２０に供給する。
【００３３】
制御部２４は、たとえばＣＰＵ（Central Processing Unit）およびＣＰＵの動作を制御するプログラムで構成され、基地局１２−１の各部を制御する。特に、制御部２４は、ＣＣＨ情報通知部２６、ＣＣＨリスト取得部２８、主局スロット選択部３０、およびフレーム同期部３２を機能的に含み、フレーム同期に係る制御を行う。
【００３４】
ＣＣＨ情報通知部２６は、自局のＣＣＨ送信スロットを識別するＣＣＨスロット番号と、自局を識別する４８ｂｉｔのＣＳＩＤ（Cell Station Identification：基地局識別情報）と、を含むＣＣＨ情報を回線制御部３４を介してセンタ設備１６に通知する。
【００３５】
図５は、ＣＣＨ情報通知部２６により通知されるＣＣＨ情報に含まれるＣＳＩＤ「８１Ｂ００００３Ｄ１０２」の一例を示す図である。同図に示すように、ＣＳＩＤには、移動通信システム１０の運用事業者を識別する事業者識別符号（８ｂｉｔ）、自局が属する一斉呼出エリアを識別する一斉呼出エリア番号（９ｂｉｔ）、自局がＣＣＨを送信するタイミングの精度を示す同期次数（３ｂｉｔ）、および基地局連番（９ｂｉｔ）が含まれる。同期次数（図５斜線部）には、自局が同期０次局であることを示す「０００」、自局が同期１次局であることを示す「００１」、自局が同期２次局であることを示す「０１１」、自局が同期３次局であることを示す「１０１」、自局が同期２次局であることを示す「１１１」、自局が非同期局であることを示す「０１０」のいずれかが設定される。
【００３６】
ここで、同期０次局とは、ＣＣＨを送信するタイミングの精度が最も高いＧＰＳ局のことである。また、同期１次局は、ＧＰＳ局から送信されるＣＣＨに基づいて自局の時間基準を補正する非ＧＰＳ局である。また、同期２次局は、同期１次局から送信されるＣＣＨに基づいて自局の時間基準を補正する非ＧＰＳ局である。同様に、同期３次局および同期４次局は、それぞれ、同期２次局および同期３次局から送信されるＣＣＨに基づいて自局の時間基準を補正する非ＧＰＳ局である。つまり、ＣＣＨを送信するタイミングの精度がより高い基地局には、より低い同期次数が割り振られる。一方、非同期局とは、他局との間でフレーム同期を行わない、すなわちＣＣＨを送信するタイミングの精度が低い非ＧＰＳ局のことである。
【００３７】
このように、移動通信システム１０では、ＣＳＩＤに含まれる同期次数に基づいて、そのＣＳＩＤにより識別される基地局１２がいかなるタイミングの精度でＣＣＨを送信するかを判別できるようになっている。本実施形態では、図１に示すように、基地局１２−２が同期０次局であり、基地局１２−１，１２−３〜１２−５が同期１次局であり、基地局１２−６が同期２次局であるものとしている。
【００３８】
なお、基地局１２−１は、無線環境の変化などに応じて自局のＣＣＨ送信スロットを適宜変更してもよい。自局のＣＣＨ送信スロットが変更された場合、ＣＣＨ情報通知部２６は、自局のＣＳＩＤと変更後のＣＣＨ送信スロットとを含む新たなＣＣＨ情報をセンタ設備１６に送信する。
【００３９】
ＣＣＨリスト取得部２８は、センタ設備１６から配信されるＣＣＨリストを回線制御部３４を介して取得する。このＣＣＨリストには、図６に示すように、たとえば同一の一斉呼出エリアに属する基地局１２−１〜１２−６のそれぞれからセンタ設備１６に通知されたＣＣＨ情報（ＣＳＩＤ、ＣＣＨスロット番号）が含まれている。このため、基地局１２−１は、スーパーフレームに含まれる８０の送信スロットのすべてをサーチすることなく、このＣＣＨリストに基づいて、その周辺の基地局１２−２〜１２−６それぞれのＣＣＨ送信スロットを特定することができる。
【００４０】
主局スロット選択部３０は、ＣＣＨリスト取得部２８により取得されるＣＣＨリストに基づいて、そのＣＣＨリストに含まれるＣＣＨスロット番号により識別されるＣＣＨ送信スロットのいずれかを主局のＣＣＨ送信スロット（同期相手のＣＣＨを受信するためのタイムスロット）として選択する。
【００４１】
上記のとおり、ＣＣＨリストには、同期次数（ＣＣＨを送信するタイミングの精度を示す精度情報）を含むＣＳＩＤも含まれている。そこで、主局スロット選択部３０は、この同期次数に基づいて、主局のＣＣＨ送信スロットを選択してもよい。
【００４２】
たとえば、主局スロット選択部３０は、ＣＣＨを送信するタイミングの精度が最も高い同期０次局のＣＣＨスロット番号をＣＣＨリストから特定し、特定されたＣＣＨ送信スロット（ここでは基地局１２−２のＣＣＨ送信スロット）により識別されるＣＣＨ送信スロットを主局のＣＣＨ送信スロットとして選択してもよい。ここで、もし同期０次局のＣＣＨ送信スロットで受信されるＣＣＨの受信レベルが所要レベル未満であれば、主局スロット選択部３０は、同期０次局の次にＣＣＨを送信するタイミングの精度が高い同期１次局のＣＣＨスロット番号をＣＣＨリストから特定し、特定されたＣＣＨ送信スロット（ここでは自局を除く基地局１２−３〜１２−５のＣＣＨ送信スロット）により識別されるＣＣＨ送信スロットのいずれか（たとえばＣＣＨの受信レベルが最も高いＣＣＨ送信スロット）を主局のＣＣＨ送信スロットとして選択してもよい。
【００４３】
フレーム同期部３２は、主局スロット選択部３０により主局のＣＣＨ送信スロットとして選択された送信スロットで受信されるＣＣＨに基づいて、次のようにフレーム同期を行う。まず、フレーム同期部３２は、主局のＣＣＨ送信スロットとして選択された送信スロットでＣＣＨを受信するよう無線部２２を制御する。次に、フレーム同期部３２は、受信されたＣＣＨと自局で生成した既知信号との相関を算出し、得られた相関のピーク位置に基づいて主局のＣＣＨ送信スロットの開始位置を特定する。そして、フレーム同期部３２は、特定された主局ＣＣＨ送信スロットの開始位置にそのＣＣＨ送信スロットに対応する自局の送信スロットの開始位置が一致するよう、自局の時間基準を補正する。
【００４４】
このようにして、基地局１２−１は、スーパーフレームに含まれる８０の送信スロットのすべてをサーチすることなく、すなわち呼制御サービスを停止することなくフレーム同期を行う。
【００４５】
次に、センタ設備１６が備える構成を説明する。センタ設備１６は、たとえば、ＣＰＵ、半導体メモリ素子、ハードディスク装置、回線インターフェースなどを備えるサーバ装置であり、図４に示すように、ＣＣＨ情報取得部４０、ＣＣＨ情報記憶部４２、およびＣＣＨリスト配信部４４を機能的に含む。
【００４６】
ＣＣＨ情報取得部４０は、各基地局１２からセンタ設備１６に通知されるＣＣＨ情報（ＣＳＩＤ、ＣＣＨスロット番号）を取得し、取得されたＣＣＨ情報をＣＣＨ情報記憶部４２に記憶させる。なお、無線環境の変化などに応じて自局のＣＣＨ送信スロットを変更した基地局１２から新たなＣＣＨ情報が通知される場合、ＣＣＨ情報取得部４０は、その新たなＣＣＨ情報に基づいてＣＣＨ情報記憶部４２に記憶されるＣＣＨ情報を更新する。
【００４７】
ＣＣＨリスト配信部４４は、各基地局１２から通知されるＣＣＨ情報（ＣＳＩＤ、ＣＣＨスロット番号）を含むＣＣＨリストをそれら基地局１２の全部または一部に配信する。たとえば、ある基地局１２からＣＣＨ情報が通知されると、ＣＣＨリスト配信部４４は、通知されたＣＣＨ情報に含まれるＣＳＩＤの一斉呼出エリア番号（図５参照）に基づいて、そのＣＣＨ情報を通知した基地局１２と同じ一斉呼出エリアに属する基地局１２に係るＣＣＨ情報をＣＣＨ情報記憶部４２から読み出す。そして、ＣＣＨリスト配信部４４は、読み出されたＣＣＨ情報を含むＣＣＨリスト（図６参照）を生成し、生成されたＣＣＨリストを当該一斉呼出エリアに属する基地局１２のそれぞれに配信する。なお、ＣＣＨリスト配信部４４は、ＧＰＳ衛星１８から送信されるＰＰＳ信号に基づいて自局の時間基準を補正するＧＰＳ局をＣＣＨリストの配信先から除外してもよい。
【００４８】
次に、基地局１２およびセンタ設備１６の動作について説明する。図７は、移動通信システム１０におけるフレーム同期方法を示すシーケンス図である。ここでは、センタ設備１６と通信する基地局１２のうち基地局１２−１，１２−３の動作のみを示す。
【００４９】
図７に示すように、基地局１２−１，１２−３は、自局のＣＳＩＤと、たとえば起動時に決定した自局のＣＣＨ送信スロットを示すＣＣＨスロット番号と、を含むＣＣＨ情報を、センタ設備１６にそれぞれ送信する（Ｓ１００，Ｓ１０２）。
【００５０】
センタ設備１６は、基地局１２−１，１２−３などからそれぞれＣＣＨ情報を取得すると、たとえば基地局１２−１，１２−３と同じ一斉呼出エリアに属する基地局１２（ここでは基地局１２−１〜１２−６）に係るＣＣＨ情報を含むＣＣＨリストを生成する（Ｓ１０４）。そして、センタ設備１６は、生成されたＣＣＨリストを当該一斉呼出エリアに属する基地局１２−１，１２−３などにそれぞれ配信する（Ｓ１０６，Ｓ１０８）。ここでは、センタ設備１６が、基地局１２−１，１２−３双方のＣＣＨ情報を受信したときに、ＣＣＨリストを作成し配信しているが、センタ設備１６は、いずれか１つの基地局１２のＣＣＨ情報を受信したときに、随時ＣＣＨリストを作成し配信してもよい。
【００５１】
センタ設備１６からＣＣＨリストを取得した基地局１２−１，１２−３は、そのＣＣＨリストに基づいて、たとえば１日１回の頻度でそれぞれフレーム同期を行う（Ｓ１１０，Ｓ１１２）。
【００５２】
図８は、Ｓ１１０のフレーム同期処理を示すフロー図である。同図に示すように、基地局１２−１は、取得されたＣＣＨリストに基づいて、そのＣＣＨリストに含まれるＣＣＨスロット番号により識別されるＣＣＨ送信スロットのいずれか（たとえば同期０次局のＣＣＨ送信スロット）を主局（同期相手）のＣＣＨ送信スロットとして選択する（Ｓ２００）。次に、基地局１２−１は、主局のＣＣＨ送信スロットとして選択された送信スロットでＣＣＨを受信する（Ｓ２０２）。そして、基地局１２−１は、受信されたＣＣＨに基づいてフレーム同期を行う（Ｓ２０４）。これにより、主局のＣＣＨ送信スロットの開始位置にそのＣＣＨ送信スロットに対応する基地局１２−１の送信スロットの開始位置が一致するよう、基地局１２−１の時間基準が補正される。
【００５３】
以上説明した実施形態によれば、基地局１２−１は、スーパーフレームに含まれる８０のタイムスロットのすべてをサーチする「オープンサーチ」を行うことなく、センタ設備１６から配信されるＣＣＨリストに基づいて、その周辺の基地局１２−２〜１２−６それぞれのＣＣＨ送信スロットを特定することができる。このため、基地局１２−１は、呼制御サービスを停止することなくフレーム同期を行うことができる。これは、基地局１２−１と同様の構成を有する非ＧＰＳ局（基地局１２−３〜１２−６）でも同様である。
【００５４】
なお、本発明は、上記実施形態に限定されるものではなく、種々の変形実施が可能である。たとえば、ＣＣＨリストの生成単位および配信単位は、一斉呼出エリアごとではなく、他の基準（所定数ごと、センタ設備のカバー範囲ごとなど）で区分されてもよい。
【００５５】
また、本発明は、図２に示すフレーム構成を採用する移動通信システムに限らず、所定周期のフレームに含まれる複数のタイムスロットのいずれかでフレーム同期用の同期信号を無線送信する少なくとも１つの周辺基地局と、それら周辺基地局のいずれかから送信される同期信号に基づいてフレーム同期を行う基地局と、センタ装置と、を含む移動通信システムに広く適用可能である。
【図面の簡単な説明】
【００５６】
【図１】本発明の実施形態に係る移動通信システムの構成図である。
【図２】本発明の実施形態に係る移動通信システムのフレーム構成を示す図である。
【図３】本発明の実施形態に係る移動通信システムのスーパーフレーム構成を示す図である。
【図４】本発明の実施形態に係る基地局（非ＧＰＳ局）およびセンタ設備の機能ブロック図である。
【図５】ＣＣＨ情報に含まれるＣＳＩＤの一例を示す図である。
【図６】センタ設備から配信されるＣＣＨリストの一例を示す図である。
【図７】本発明の実施形態に係るフレーム同期方法を示すシーケンス図である。
【図８】図７におけるＳ１１０のフレーム同期処理を示すフロー図である。
【符号の説明】
【００５７】
１０  移動通信システム、１２  基地局、１４  ＩＰ網、１６  センタ設備、１８  ＧＰＳ衛星、２０  アンテナ、２２  無線部、２４  制御部、２６  ＣＣＨ情報通知部、２８  ＣＣＨリスト取得部、３０  主局スロット選択部、３２  フレーム同期部、３４  回線制御部、４０  ＣＣＨ情報取得部、４２  ＣＣＨ情報記憶部、４４  ＣＣＨリスト配信部。
【図１】
2010109513.tif 000003
【図２】
2010109513.tif 000004
【図３】
2010109513.tif 000005
【図４】
2010109513.tif 000006
【図５】
2010109513.tif 000007
【図６】
2010109513.tif 000008
【図７】
2010109513.tif 000009
【図８】
2010109513.tif 000010